(57)【要約】      （修正有）【課題】マウスとしての機能以外に、カードリーダー、ＵＳＢ、スピーカー及びマイクロホンのような機能を兼備し、それを用いる電子装置の外接ポート及び補助設備を減少させる多機能マウスを提供する。【解決手段】本無線式の多機能マウスは、上部ケース１０、下部ケース２０、押しボタン３０及びホイール４０を備える。前記多機能マウスには、第一接続ポート５０、第二接続ポート、スピーカー７０及びマイクロホン８０がさらに設けられる。前記多機能マウスは、前記第一接続ポート、前記第二接続ポート、前記スピーカー及び前記マイクロホンの間で切り換えられて使用される。【選択図】図１
0003169744.tif 000002
【実用新案登録請求の範囲】
【請求項１】
上部ケース、下部ケース、押しボタン及びホイールを備える多機能マウスであって、
前記多機能マウスには、第一接続ポート、第二接続ポート、スピーカー及びマイクロホンがさらに設けられ、
前記多機能マウスは、前記第一接続ポート、前記第二接続ポート、前記スピーカー及び前記マイクロホンの間で切り換えられて使用されることを特徴とする多機能マウス。
【請求項２】
前記第一接続ポートは、カードリーダーポートであり、前記第二接続ポートは、ＵＳＢポートであることを特徴とする請求項１に記載の多機能マウス。
【請求項３】
前記上部ケースの一端は、円弧状の曲面であり、前記スピーカーの出音孔が前記円弧状の曲面に設けられていることを特徴とする請求項１に記載の多機能マウス。
【請求項４】
前記押しボタン及び前記ホイールは、前記上部ケースの前記円弧状の曲面に対向する他端に設けられ、
前記マイクロホンは、前記ホイール内に設けられ且つその入音孔が前記ホイールの外周面に設けられていることを特徴とする請求項３に記載の多機能マウス。
【請求項５】
前記多機能マウスは、無線信号トランシーバーをさらに備え、前記無線信号トランシーバーは、前記第一接続ポート、前記第二接続ポート、前記スピーカー及び前記マイクロホンに接続され、且つ前記第一接続ポート、前記第二接続ポート、前記スピーカー及び前記マイクロホンの信号を識別及び伝送することを特徴とする請求項１に記載の多機能マウス。
【考案の詳細な説明】
【技術分野】
【０００１】
本考案は、多機能を有するマウスに関するものである。
【背景技術】
【０００２】
コンピューターの普及に伴い、それに使用されるマウスも多様化になる。常用されているマウスは、主に有線及び無線に分けられ、ユーザーは、マウスを介してコンピューターを快適に操作することができる。マルチメディア技術の発展に従って、スピーカー、カードリーダー及びＵＳＢポートは、コンピューターの重要な外接設備になった。しかし、コンピューターの接続端子が有限であるため、複数のデータ線の連接を同時に実現するのは無理である。
【考案の概要】
【考案が解決しようとする課題】
【０００３】
そこで、本考案は上記の問題点を考慮した上で、多種の機能を統合したマウスを提供することを目的とする。
【課題を解決するための手段】
【０００４】
前記課題を解決するために、本考案に係る多機能マウスは、上部ケース、下部ケース、押しボタン及びホイールを備える。前記多機能マウスには、第一接続ポート、第二接続ポート、スピーカー及びマイクロホンがさらに設けられる。前記多機能マウスは、前記第一接続ポート、前記第二接続ポート、前記スピーカー及び前記マイクロホンの間で切り換えられて使用される。
【考案の効果】
【０００５】
従来の多機能マウスに比べて、本考案の多機能マウスは、無線式マウスであり、且つ第一接続ポート、第二接続ポート、スピーカー及びマイクロホンを備え、マウスとしての機能以外に、カードリーダー、ＵＳＢ、スピーカー及びマイクロホンのような機能を兼備するので、それを用いる電子装置の外接ポート及び補助設備を減少させる。しかも、前記多機能マウスは、無線伝送により作業されるので、携帯及び使用が便利である。
【図面の簡単な説明】
【０００６】
【図１】本考案の多機能マウスの斜視図である。
【図２】本考案の多機能マウスの別の視点からの斜視図である。
【考案を実施するための形態】
【０００７】
図１及び図２に示したように、本考案の多機能マウスは、メカニカル式或いはトラッキングボール式の無線式マウスである。前記多機能マウスは、上部ケース１０と、下部ケース２０と、押しボタン３０と、ホイール４０と、第一接続ポート５０と、第二接続ポート６０と、スピーカー７０と、マイクロホン８０と、を備える。本実施形態において、前記第一接続ポート５０は、カードリーダーポートであり、前記第二接続ポート６０は、ＵＳＢポートである。
【０００８】
前記上部ケース１０が前記下部ケース２０に係合されて、前記多機能マウスの主体を構成する。前記多機能マウスの内部には、図示されていない回路基板、コンバーター、発光素子及び無線信号トランシーバーがさらに設けられている。前記第一接続ポート５０、前記第二接続ポート６０、前記スピーカー７０及び前記マイクロホン８０は、前記無線信号トランシーバーを介して外部電子装置（例えば、コンピューター）に接続される。
【０００９】
前記多機能マウスの下部ケース２０の先端（ｆｒｏｎｔ  ｅｎｄ）には、左右一対の押しボタン３０が設けられている。前記ホイール４０は、前記上部ケース１０から突出し且つ前記押しボタン３０に近接する。前記ホイール４０を、押圧力により切換を行うことができる切換スイッチに設置してもよい。本実施形態において、前記押しボタン３０は、外部電子装置での指令の選択及び運行等の機能を有している。前記ホイール４０は、表示されたページを上下に移動するなどの機能を有している。前記マイクロホン８０は、前記ホイール４０内に設けられ、その入音孔が前記ホイール４０の外周面に設けられている。前記上部ケース１０の他端（後端）は、円弧状の曲面に形成されている。前記スピーカー７０は、前記上部ケース１０の内部に設けられ、その出音孔が前記上部ケース１０の曲面に設けられている。変更例として、前記スピーカー７０及び前記マイクロホン８０を、発光エリアに飾ってもよい。
【００１０】
前記第一接続ポート５０は、前記下部ケース２０の側面に設けられている。本実施形態において、ＳＭ、ＳＤ及びＣＦなどのようなメモリーカードを前記第一接続ポート５０内に挿入することができる。
【００１１】
前記第二接続ポート６０は、前記下部ケース２０の前記第一接続ポート５０に対応する他側面に設けられている。本実施形態において、前記第二接続ポート６０は、ＵＳＢデバイスを連接することに用いられる。
【００１２】
前記マウスを使用する場合、ユーザーは、前記マウス機能、前記第一接続ポート５０、前記第二接続ポート６０、前記スピーカー７０及び前記マイクロホン８０のような機能を切り換える必要があれば、前記無線信号トランシーバーを介して直接に識別し、又は前記ホイール４０を押圧することによりその間で切り換えてもよい。
【００１３】
本考案の多機能マウスは、無線式マウスであり、且つ第一接続ポート５０と、第二接続ポート６０と、スピーカー７０と、マイクロホン８０と、を備え、マウスとしての機能の上で、カードリーダー、ＵＳＢ、スピーカー及びマイクロホンのような機能を兼備するので、それを用いる電子装置の外接ポート及び補助設備を減少させることができる。しかも、前記多機能マウスは、無線伝送により作業されるので、携帯及び使用することも便利である。
【００１４】
以上、本考案の好適な実施形態について詳細に説明したが、本考案は前記実施形態に限定されるものではなく、本考案の範囲内で種々の変形又は修正が可能であり、該変形又は修正も又、本考案の特許請求の範囲内に含まれるものであることは、いうまでもない。
【符号の説明】
【００１５】
１０        上部ケース
２０        下部ケース
３０        押しボタン
４０        ホイール
５０        第一接続ポート
６０        第二接続ポート
７０        スピーカー
８０        マイクロホン
【図１】
0003169744.tif 000003
【図２】
0003169744.tif 000004
【手続補正書】
【提出日】平成23年6月20日(2011.6.20)
【手続補正１】
【補正対象書類名】実用新案登録請求の範囲
【補正対象項目名】全文
【補正方法】変更
【補正の内容】
【実用新案登録請求の範囲】
【請求項１】
上部ケースと、該上部ケースの下部に係合された下部ケースと、該下部ケースの先端に設けられた押しボタンと、前記上部ケースから突出したホイールとを備える多機能マウスであって、
前記下部ケースには、第一接続ポートと第二接続ポートが設けられ、前記上部ケースには、スピーカーが設けられ、前記ホイールにはマイクロホンがさらに設けられ、
前記第一接続ポート、前記第二接続ポート、前記スピーカー及び前記マイクロホンは、前記上部ケースと前記内部ケースとの間に設けられた無線信号トランシーバーに接続され、
該無線信号トランシーバーは、前記第一接続ポート、前記第二接続ポート、前記スピーカー及び前記マイクロホンの信号を識別及び伝送して前記第一接続ポート、前記第二接続ポート、前記スピーカー又は前記マイクロホンを切り換えることを特徴とする多機能マウス。
【請求項２】
前記第一接続ポートは、カードリーダーポートであり、前記第二接続ポートは、ＵＳＢポートであることを特徴とする請求項１に記載の多機能マウス。
【請求項３】
前記上部ケースの一端は、円弧状の曲面であり、前記スピーカーの出音孔が前記円弧状の曲面に設けられていることを特徴とする請求項１に記載の多機能マウス。
【請求項４】
前記押しボタン及び前記ホイールは、前記上部ケースの前記円弧状の曲面に対向する他端に設けられ、
前記マイクロホンは、前記ホイール内に設けられ且つその入音孔が前記ホイールの外周面に設けられていることを特徴とする請求項３に記載の多機能マウス。